(57)【要約】【課題】嵩張ることなくすっきりした高級感のある外観を持ち、年月を経ても写真が剥離することがなく、将来の補修や改築時の資料としても有効な新築記念アルバムを提供する。【解決手段】多数の写真がプリントされたプリント紙１を、各頁の背面に補強用厚紙２を接着して製本する。アルバムの写真には、少なくとも完成された室内写真１５と、建築工事写真と、間取図面写真１７とを含ませておき、将来の補修や改築時の資料とする。第１頁に玄関の写真を、表紙またはカバー表面に家屋外観写真を、裏表紙またはカバー裏面に家族の写真を掲載することが好ましい。【選択図】　　図６
2004009343.tif 000002
【特許請求の範囲】
【請求項１】
多数の写真がプリントされたプリント紙を各頁の背面に補強用厚紙を接着して製本したアルバムであって、前記写真が少なくとも完成された室内写真と、建築工事写真と、間取図面写真とを含むことを特徴とする新築記念アルバム。
【請求項２】
第１頁に玄関の写真を掲載した請求項１記載の新築記念アルバム。
【請求項３】
表紙またはカバー表面に家屋外観写真を、裏表紙またはカバー裏面に家族の写真を掲載した請求項１または２に記載の新築記念アルバム。
【発明の詳細な説明】
【０００１】
【発明の属する技術分野】
本発明は、家屋を新築した個人建築主に工事施工者が贈呈する新築記念アルバムに関するものである。
【０００２】
【従来の技術】
建築主に工事施工者が新築記念アルバムを贈呈することは従来から行なわれている。しかし従来の新築記念アルバムは、フリー台紙に家屋外観写真や建築工事写真などを貼り付けたものが普通であり、嵩張ったり、年月を経ると写真が剥離したりするなどの欠点があった。
【０００３】
このほか例えば実開昭６２−１９２７１号公報には、家屋の登記書などを収納できる包袋を綴り込んだ新築記念アルバムが記載されている。しかしこのようなアルバムは包袋を綴り込む分だけ更に嵩張ってしまい、外観が見苦しくなるという問題があった。また、建設後長年を経過してから補修や改築を行ないたい場合、工事業者から家屋の図面を要求されることがあるが、登記書とは異なり経済的価値のないものであるから行方不明となっていることが多く、探し出すのに困難を極めることが多かった。
【０００４】
【発明が解決しようとする課題】
本発明は上記した従来の問題点を解決して、嵩張ることなくすっきりした高級感のある外観を持ち、年月を経ても写真が剥離することがなく、新築記念となるのみならず将来の補修や改築時の資料としても有効な新築記念アルバムを提供するためになされたものである。
【０００５】
【課題を解決するための手段】
上記の課題を解決するためになされた本発明の新築記念アルバムは、多数の写真がプリントされたプリント紙を各頁の背面に補強用厚紙を接着して製本したアルバムであって、前記写真が少なくとも完成された室内写真と、建築工事写真と、間取図面写真とを含むことを特徴とするものである。なお、第１頁に玄関の写真を掲載することが好ましく、表紙またはカバー表面に家屋外観写真を、裏表紙またはカバー裏面に家族の写真を掲載することが好ましい。
【０００６】
本発明の新築記念アルバムは、写真がプリントされたプリント紙を製本したものであるから、フリー台紙に写真を貼り付けたものとは異なり年月を経ても写真が剥離することがない。またプリント紙だけでは腰がないが、各頁の背面に補強用厚紙を接着して製本することにより、嵩張ることなくすっきりした高級感のある外観を持たせることができる。更に写真には完成された室内写真のほかに、建築工事写真と、間取図面写真とを含むので、新築記念となるのみならず将来の補修や改築時の資料としても有効となるなどの多くの利点を持つ。
【０００７】
【発明の実施の形態】
以下に図面を参照しつつ、本発明の好ましい実施形態を示す。
図１は本発明の新築記念アルバムの基本構造を示す拡大断面図であり、１はプリント紙、２は補強用厚紙、３，４は見返し用紙、５は背ボール紙、６は表紙材、７は中芯であり、更に外側にカバー８を掛けても良い。
【０００８】
プリント紙１は２頁分のサイズの紙を中央でＶ字折りしたもので、写真の画像をプリンターでプリントしたもの、カラーコピー機でプリントしたもののほか、写真をプリントした印画紙をも含むものとする。このプリント紙１には写真画像をコンピュータ画面上でレイアウトしたものがプリントされているほか、文字やイラストがプリントされていてもよい。プリント紙１は２頁分のサイズを持ち、フルフラットの状態に開くことができるので、左右の頁に連続する印刷写真を載せることも可能である。
【０００９】
これらのプリント紙１は上質紙や印画紙などからなるので、単独では腰がなく高級感が得られない。そこでプリント紙１の各頁の背面には、１頁分のサイズの補強用厚紙２を接着して腰を持たせてある。そして図１に示すように、各プリント紙１の中央部を補強用厚紙２の端部よりも背側に補強用厚紙２の厚さ分程度突出させたので、図２のように開いたときにも補強用厚紙２どうしが干渉したり、プリント紙１が引っ張られたりすることがなく、フルフラットの状態に開くことができる。
【００１０】
これらのプリント紙１には多数の写真がプリントされているが、それらの写真は少なくとも完成された室内写真と、建築工事写真と、間取図面写真とを含むものとする。また、第１頁に玄関の写真を掲載することが好ましく、表紙またはカバー表面に家屋外観写真を、裏表紙またはカバー裏面に家族の写真を掲載することが好ましい。これらの点について、本実施形態では次のような配置がなされている。
【００１１】
図３は本発明の新築記念アルバムを表紙側から見た斜視図であり、表側のカバー８の表面に、家屋外観写真１１が文字１２とともに配置されている。家屋外観写真１１は玄関の外側から撮影したものとすることが好ましい。このように表紙に家屋外観写真１１を配置すれば、新築の我が家に向かうような雰囲気を感ずることができる。
【００１２】
表紙を開いた第１頁には、図４のように玄関の写真１３が配置されている。このように第１頁に玄関の写真１３を配置すれば、これから玄関の扉を開く気分を感ずることができる。なお、この実施形態ではバックを森林の写真１４として木製の家を強調しているが、バックに何を配置するかは任意である。
【００１３】
図５に示すように、第２頁以下には各室内の写真１５が配置されている。この実施形態では玄関の内側、天井のシャンデリア、居間、和室などの写真が配置されている。さらに図６に示すように、続きの頁にもキッチン、洗面所、寝室などの各室内の写真１５や、ベランダの写真１６などが配置されている。これらの写真の配置はコンピュータ画面上で自由にレイアウトできるが、玄関から次第に奥に進んで行くような配置とすることが好ましい。
【００１４】
また図６に示すように、本発明の新築記念アルバムには間取図面写真１７が含まれている。これは各階の壁面や柱、扉、間取りを示す図面を写真としたものである。また必要に応じて、家屋の外形寸法や各部屋の広さ等を文字で表示することもできる。このように新築記念アルバムに間取図面写真１７を含ませておくことにより、将来の補修や改築時の貴重な資料とすることができる。しかも通常の図面とは異なり、写真としてアルバムの一部となっているので、嵩張ることもない。
【００１５】
更に図７に示すように、本発明の新築記念アルバムには建築工事写真１８が含まれている。これは地質調査、基礎工事、断熱材の施工状況、防腐・防蟻処理、床衝撃音測定、歩行音測定、室内ガス濃度測定などの各種の状況を撮影したもので、建築主に安心感を与える効果があるとともに、将来の補修や改築時のための資料としても意味があるものである。ここに基礎構造の図面写真１９を含ませておくことも好ましい。
【００１６】
そして裏表紙またはカバー８の裏面には、家族の写真２０を掲載する。この写真２０によって、新築時の家族の状況を記録にとどめることができる。このほか、家屋の設計担当者、施工担当者、営業担当者、施工会社名、電話番号などの文字欄２１を印刷することもできる。更に背表紙には○○邸新築記念の文字２２や、新築年月日の文字２３などを印刷しておくことが好ましい。
【００１７】
【発明の効果】
以上に説明したように、本発明の新築記念アルバムは単に家屋新築の記念となるのみならず、建築工事写真と間取図面写真とを含ませておくことにより、将来の補修や改築時のための資料としても有効となる。このためこのアルバムを本棚などに入れておけば、図面とは異なり紛失することもなく、将来の補修や改築時にあわてて図面を探す必要もない。
【００１８】
しかも本発明の新築記念アルバムは各種の写真がプリントされたプリント紙を製本したものであるから、年月を経ても写真が剥離することがないうえ、プリント紙の背面に補強用厚紙を接着して製本することにより、嵩張ることなくすっきりした高級感のある外観を持たせることができる。更に本発明の新築記念アルバムは基本的には１冊しか作成されないものであるが、写真をコンピュータ画面上でレイアウトしたものをプリントすればよいため、製作コストは安価であり、これを贈呈する工事施工者の経済的負担も軽微で済む利点がある。
【図面の簡単な説明】
【図１】本発明の新築記念アルバムの基本構造を示す拡大断面図である。
【図２】開いた状態の説明図である。
【図３】実施形態の新築記念アルバムを表紙側から見た斜視図である。
【図４】表紙を開いた第１頁の斜視図である。
【図５】第２頁と第３頁の斜視図である。
【図６】第４頁と第５頁の斜視図である。
【図７】最終頁の斜視図である。
【図８】裏表紙側から見た斜視図である。
【符号の説明】
１　プリント紙
２　補強用厚紙
３　見返し用紙
４　見返し用紙
５　背ボール紙
６　表紙材
７　中芯
８　カバー
１１　家屋外観写真
１２　文字
１３　玄関の写真
１４　森林の写真
１５　室内の写真
１６　ベランダの写真
１７　間取図面写真
１８　建築工事写真
１９　基礎構造の図面写真
２０　家族の写真
２１　文字欄
２２　文字
２３　新築年月日の文字
【図１】
2004009343.tif 000003
【図２】
2004009343.tif 000004
【図３】
2004009343.tif 000005
【図４】
2004009343.tif 000006
【図５】
2004009343.tif 000007
【図６】
2004009343.tif 000008
【図７】
2004009343.tif 000009
【図８】
2004009343.tif 000010